(57)【要約】【課題】好適な特性を有する光学装置を提供する。【解決手段】光が通過可能な光通過領域（１５）の外側に備えられ、波長４００ｎｍ以上７００ｎｍ未満の光の反射率が１５％以下であり、波長１０００ｎｍ以上１７００ｎｍ未満の光の反射率が５０％以上である反射面（２４，５４，６４，７０，７４，７６）が、少なくとも一部に備えられた筒状部（１２，５３）を含む光学装置。【選択図】図３
2010282190.tif 000002
【特許請求の範囲】
【請求項１】
光が通過可能な光通過領域の外側に備えられ、波長４００ｎｍ以上７００ｎｍ未満の光の反射率が１５％以下であり、波長１０００ｎｍ以上１７００ｎｍ未満の光の反射率が５０％以上である反射面が、少なくとも一部に備えられた筒状部を含むことを特徴とする光学装置。
【請求項２】
請求項１に記載された光学装置であって、
前記筒状部の前記反射面は、前記光通過領域の外側に備えられた基材の外側に形成される第１層と、前記第１層の外側に形成される第２層とを有しており、
前記第１層は、前記第２層よりも可視光の反射率が高いことを特徴とする光学装置。
【請求項３】
請求項１に記載された光学装置であって、
前記筒状部の前記反射面は、基材の外側に形成される第１層と、前記第１層の外側に形成される第２層とを有しており、
前記第１層は、金属粒子を含むことを特徴とする光学装置。
【請求項４】
請求項２又は請求項３に記載された光学装置であって、
前記第２層は、少なくとも波長１０００ｎｍ以上１７００ｎｍ未満の光の反射率が、前記第１層より低いことを特徴とする光学装置。
【請求項５】
請求項２から請求項４までの何れか１項に記載された光学装置であって、
前記第２層は、波長４００ｎｍ以上７００ｎｍ未満の光の反射率が、１０％以下であることを特徴とする光学装置。
【請求項６】
請求項３又は請求項４に記載された光学装置であって、
前記第１層に含まれる前記金属粒子は、Ａｌ，Ａｕ，Ａｇ，Ｎｉ，Ｃｕのうちから選択された少なくとも１つの元素を含有することを特徴とする光学装置。
【請求項７】
請求項２から請求項６までの何れか１項に記載された光学装置であって、
前記基材は、ポリカーボネート、マグネシウム系合金、マグネシウム、アルミニウム系合金、アルミニウム、カーボン・樹脂複合材料から選択された少なくとも１つを有することを特徴とする光学装置。
【請求項８】
請求項２から請求項７までの何れか１項に記載された光学装置であって、
前記第１層および前記第２層は、塗布により形成された塗膜であることを特徴とする光学装置。
【請求項９】
請求項１から請求項８までの何れか１項に記載された光学装置であって、
前記第１層、及び、前記第２層の少なくとも一方は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有することを特徴とする光学装置。
【請求項１０】
請求項２から請求項９までの何れか１項に記載された光学装置であって、
前記反射面は、前記第２層の外側に形成される第３層をさらに有し、
前記第３層は、前記第１層および前記第２層より可視光の透過率が高いことを特徴とする光学装置。
【請求項１１】
請求項２から請求項１０までの何れか１項に記載された光学装置であって、
前記反射面は、当該反射面の最外側表面に形成される複数の凸部または複数の凹部を有し、
複数の前記凸部および複数の前記凹部は、互いに間隔を隔てて配置されており、
前記凸部および前記凹部は、前記第１層および前記第２層より可視光の透過率が高いことを特徴とする光学装置。
【請求項１２】
請求項１１に記載された光学装置であって、
前記凸部または凹部は、前記第３層の外側に形成されることを特徴とする光学装置。
【請求項１３】
光が通過可能な光通過領域の外側に備えられ、波長４００ｎｍ以上７００ｎｍ未満の光の反射率が１５％以下であり、波長１０００ｎｍ以上１７００ｎｍ未満の光の反射率が５０％以上である反射面が、少なくとも一部に備えられた筐体部を含み、
前記筐体部の前記反射面は、前記光通過領域の外側に備えられた基材の外側に形成される第１層と、前記第１層の外側に形成される第２層と、前記第２層の外側に形成される第３層と、前記第３層の外側に形成される複数の凸部または複数の凹部とを有し、
前記第１層は、前記第２層よりも可視光の反射率が高く、
前記第３層は、前記第１層および前記第２層より可視光の透過率が高く、
複数の前記凸部および複数の前記凹部は、互いに間隔を隔てて配置されており、
前記凸部および前記凹部は、前記第１層および前記第２層より可視光の透過率が高いことを特徴とする光学装置。
【発明の詳細な説明】
【技術分野】
【０００１】
本発明は、光学装置に関する。
【背景技術】
【０００２】
カメラに備えられるレンズ鏡筒等の光学装置は、太陽光のような赤外線を含む光線を多量に照射される環境下で使用される場合がある。従来技術に係る光学装置では、太陽光が多量に照射される環境下で用いられた場合、照射熱によって光学装置の温度が上昇するという問題が発生している。
【０００３】
レンズ鏡筒等の温度上昇を防止するための従来技術としては、例えば筐体の表面に可逆感温変色層を備えた光学装置が知られている（特許文献１等参照）。しかし、従来技術に係る光学装置は、照射熱による光学装置の温度上昇を十分に抑制することができず、特に濃色の外装の場合に温度上昇を抑制することはできなかった。
【先行技術文献】
【特許文献】
【０００４】
【特許文献１】特開２００７−４９３７０号公報
【発明の概要】
【発明が解決しようとする課題】
【０００５】
本発明は、このような実状に鑑みてなされ、その目的は、好適な特性を有する光学装置を提供することである。
【課題を解決するための手段】
【０００６】
上記目的を達成するために、本発明に係る光学装置は、
光が通過可能な光通過領域（１５）の外側に備えられ、波長４００ｎｍ以上７００ｎｍ未満の光の反射率が１５％以下であり、波長１０００ｎｍ以上１７００ｎｍ未満の光の反射率が５０％以上である反射面（２４，５４，６４，７０，７４，７６）が、少なくとも一部に備えられた筒状部（１２，５３）を含む。
【０００７】
また、例えば、前記筒状部の前記反射面は、前記光通過領域の外側に備えられた基材（３６）の外側に形成される第１層（３２）と、前記第１層の外側に形成される第２層（３４）とを有していてもよく、前記第１層は、前記第２層よりも可視光の反射率が高くてもよい。
【０００８】
また、例えば、前記筒状部の前記反射面は、基材の外側に形成される第１層と、前記第１層の外側に形成される第２層とを有してもよく、前記第１層は、金属粒子（３８）を含んでも良い。
【０００９】
また、例えば、前記第２層は、少なくとも波長１０００ｎｍ以上１７００ｎｍ未満の光の反射率が、前記第１層より低くてもよい。
【００１０】
また、例えば、前記第２層は、波長４００ｎｍ以上７００ｎｍ未満の光の反射率が、１０％以下であることが好ましい。
【００１１】
また、例えば、前記第１層に含まれる前記金属粒子は、Ａｌ，Ａｕ，Ａｇ，Ｎｉ，Ｃｕのうちから選択された少なくとも１つの元素を含有してもよい。
【００１２】
また、例えば、前記基材は、ポリカーボネート、マグネシウム系合金、アルミニウム系合金、マグネシウム、アルミニウム、カーボン・樹脂複合材料から選択された少なくとも１つを有していても良い。
【００１３】
また、例えば、前記第１層および前記第２層は、塗布により形成された塗膜であってもよい。
【００１４】
また、例えば、前記第１層、及び、前記第２層の少なくとも一方は、Ｓｉ、Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有してもよい。
【００１５】
また、例えば、前記反射面は、前記第２層の外側に形成される第３層（６６）をさらに有し、
前記第３層は、前記第１層および前記第２層より可視光の透過率が高くても良い。
【００１６】
また、例えば、前記反射面は、当該反射面の最外側表面に形成される複数の凸部（６８，７８）または複数の凹部（７２）を有し、
複数の前記凸部および複数の前記凹部は、互いに間隔を隔てて配置されており、
前記凸部および前記凹部は、前記第１層および前記第２層より可視光の透過率が高くても良い。
【００１７】
また、例えば、前記凸部または凹部は、前記第３層の外側に形成されてもよい。
【００１８】
また、本発明の第２の観点に係る光学装置は、
光が通過可能な光通過領域（１５）の外側に備えられ、波長４００ｎｍ以上７００ｎｍ未満の光の反射率が１５％以下であり、波長１０００ｎｍ以上１７００ｎｍ未満の光の反射率が５０％以上である反射面（２４，５４，６４，７０，７４，７６）が、少なくとも一部に備えられた筐体部（１２，５３）を含み、
前記筐体部の前記反射面は、前記光通過領域の外側に備えられた基材（３６）の外側に形成される第１層（３２）と、前記第１層の外側に形成される第２層（３４）と、前記第２層の外側に形成される第３層（６６）と、前記第３層の外側に形成される複数の凸部（６８，７８）または複数の凹部（７２）とを有し、
前記第１層は、前記第２層よりも可視光の反射率が高く、
前記第３層は、前記第１層および前記第２層より可視光の透過率が高く、
複数の前記凸部および複数の前記凹部は、互いに間隔を隔てて配置されており、
前記凸部および前記凹部は、前記第１層および前記第２層より可視光の透過率が高いことを特徴とする。
【００１９】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００２０】
【図１】図１は、本発明の第１実施形態に係るレンズ鏡筒の全体図である。
【図２】図２は、図１に示すレンズ鏡筒の断面図である。
【図３】図３は、図２に示す反射面の模式断面図である。
【図４】図４は、本発明の第２実施形態に係るレンズフードおよび当該レンズフードが取り付けられるレンズ鏡筒の全体図である。
【図５Ａ】図５Ａは、図１等に示す反射面と、図６に示す従来技術に係るレンズ鏡筒に備えられる外装面の分光反射率を表すグラフである。
【図５Ｂ】図５Ｂは、図１等に示す反射面を構成する第２層の分光透過率を表すグラフである。
【図６】図６は、本発明の参考例に係るレンズ鏡筒の断面図である。
【図７】図７は、本発明の第３実施形態に係るレンズ鏡筒に含まれる反射面の模式断面図である。
【図８】図８は、図７に示す反射面の拡大斜視図である。
【図９】図９は、本発明の第４実施形態に係るレンズ鏡筒に含まれる反射面の拡大斜視図である。
【図１０】図１０は、本発明の第５実施形態に係るレンズ鏡筒に含まれる反射面の模式断面図である。
【図１１】図１１は、本発明の第６実施形態に係るレンズ鏡筒に含まれる反射面の模式断面図である。
【発明を実施するための形態】
【００２１】
第１実施形態
図１は、本発明の第１実施形態に係るレンズ鏡筒１０の全体図である。レンズ鏡筒１０は、レンズ鏡筒１０の外周を構成する筒状部１２を有している。筒状部１２は、無底の略円筒形状を有しており、略円筒形状の筒状部１２の中心軸Ｌに沿う方向に、光が通過可能な光通過領域１５が形成されている。
【００２２】
筒状部１２の内部に形成されている光通過領域１５には、光学レンズ群１３が備えられている。光学レンズ群１３は、レンズ鏡筒１０の一方の端部である被写体側の端部１２ａから入射した光を、レンズ鏡筒１０の他方の端部である撮像面側の端部１２ｂに、出射することができる。また、本実施形態に係るレンズ鏡筒１０は、被写体側から入射した光の像を、当該光を撮像面側に出射した後の所定の位置で、形成することができる。
【００２３】
レンズ鏡筒１０の外周を形成する筒状部１２の撮像面側の端部１２ｂには、不図示のカメラ本体部が取り付けられる。カメラ本体部は、レンズ鏡筒１０に備えられる光学レンズ群１３によって形成される光の像を記録する記録媒体等を有する。また、筒状部１２の被写体側の端部１２ａには、レンズ鏡筒１０の光通過領域１５に不要な光が入射することを防止するために、図４に示すようなレンズフード５０が取り付けられても良い。
【００２４】
なお、実施形態では主としてレンズ鏡筒１０を例に挙げて説明を行うが、本発明に係る光学装置としてはこれに限定されない。本発明に係る光学装置としては、レンズ鏡筒１０の他に、例えばレンズフード、カメラボディおよびカメラ（レンズ鏡筒とカメラとが一体化したもの）等が挙げられる。また、本発明に係る光学装置はスチルカメラや、スチルカメラに備えられるレンズ鏡筒に限定されるものではなく、ビデオカメラ、テレコンバータ、望遠鏡、双眼鏡、単眼鏡を含む。
【００２５】
図１に示すレンズ鏡筒１０は、筒状部１２を支持する支持台を取付け可能な支持台取付部１６を有する。支持台取付部１６は、レンズ鏡筒１０の筒状部１２を挿通させるリング部１７と、三脚等の支持台を取付けるための支持台固定孔２８が形成されている座部１８とを有する。また、支持台取付部１６のリング部１７には、筒状部１２に対して支持台取付部１６を固定するための取付ねじ１９が備えられている。また、筒状部１２には、焦点距離等の情報を表示するための距離目盛り２０が備えられている。距離目盛り２０は、例えば、撮影者がカメラを正位置に構えたとき、筒状部１２の上方に位置するように配置されている。
【００２６】
また、レンズ鏡筒１０には、レンズ鏡筒１０に備えられる光学レンズ群１３の焦点調整を行うための回転環１４が取り付けられている。回転環１４は、光学レンズ群１３を構成する焦点調整レンズの移動を操作するための操作部材である。レンズ鏡筒１０およびカメラ等を使用する撮影者は、回転環１４を回転させることによって、光学レンズ群１３の一部である焦点調整レンズの移動を操作し、レンズ鏡筒１０の焦点調整を行うことができる。
【００２７】
なお、レンズ鏡筒１０に取り付けられる回転環１４は、本実施形態のように光学レンズ群１３の焦点調整を行ういわゆるフォーカス環に限られない。例えば、光学レンズ群１３と撮像面の焦点距離を調整するズーム環や、光学レンズ群１３を透過する光の量を調整する絞り環等であってもよい。
【００２８】
本実施形態に係る筒状部１２は、日射反射率を高めた反射面２４を備えている。反射面２４は、図１において斜線ハッチングで示すように、回転環１４や距離目盛り２０等が配置される部分を除き、筒状部１２の略全体に備えられている。
【００２９】
図５Ａは、図１等に示す反射面２４と、図６に示す参考例に係るレンズ鏡筒に備えられる外装面８０（図６参照）の分光反射率を表すグラフである。図５Ａでは、本実施形態に係る反射面２４の一例について測定した分光反射率の実測データを、実線２５で示し、参考例に係る外装面８０の概算データを、点線８１で示す。
【００３０】
図５Ａにおいて実線２５で示すように、反射面２４は、波長４００ｎｍ以上７００ｎｍ未満の光の反射率が１５％以下であり、波長１０００ｎｍ以上１７００ｎｍ未満の光の反射率が５０％以上である。ここで、波長４００ｎｍ以上７００ｎｍ未満の光は、人間が視認できる可視光領域に含まれる波長の光である。また、波長１０００ｎｍ以上１７００ｎｍ未満の光は、人間はほとんど視認できないが、物体に熱エネルギーを与える赤外領域に含まれる波長の光である。
【００３１】
すなわち、反射面２４は、可視光領域に含まれる波長４００ｎｍ以上７００ｎｍ未満の光の反射率が低いため、可視光を反射しにくく、可視光の反射率が高い外装面を有するレンズ鏡筒より目立ちにくい。イベントを撮影する時に用いるレンズ鏡筒は、他の観客の視野を妨害したり、イベントの美的外観を損ねたりすることがないように、目立たないことが好ましく、反射面２４を備えるレンズ鏡筒１０は、このような使用に適している。
【００３２】
また、反射面２４は、赤外領域に含まれる波長１０００ｎｍ以上１７００ｎｍ未満の光を反射する反射率が高いため、日射等によってレンズ鏡筒１０の温度が上昇することを防止できる。ここで、可視光領域の光の反射率が低い表面は、一般的には、赤外領域の光の反射率も低い傾向にある。したがって、従来技術に係るレンズ鏡筒では、可視光領域の光の反射率を抑えて外装を目立たなくすると、赤外領域の光の反射率を抑制することが困難であった。
【００３３】
図６は、従来技術にかかるレンズ鏡筒に備えられる外装面８０を表す断面図である。外装面８０は、基材８４と、基材８４の表面に形成された黒色塗膜層８２によって構成される。図５Ａにおいて点線８１で示すように、外装面８０は、可視光領域の光の反射率も、赤外領域の光の反射率も、両方とも低いため、日射等による温度上昇を防止することが困難であった。
【００３４】
しかしながら、反射面２４を備える本実施形態に係るレンズ鏡筒１０は、可視光領域の光の反射率が低く、赤外領域の光の反射率が高いため、外装を目立たなくするとともに、日射等によるレンズ鏡筒１０の温度上昇を抑制することが可能である。したがって、本実施形態に係るレンズ鏡筒１０は、野外イベント等のように、強い日射を受ける環境で使用された場合でも、レンズ鏡筒１０の温度上昇を防止できる。また、温度上昇を防止することによって、レンズ鏡筒１０の表面が熱せられて撮影者が素手で振れることが難しくなったり、レンズ鏡筒１０の内部に備えられる光学部品が、熱による悪影響を受ける現象を、防止することができる。
【００３５】
図２は、図１に示すレンズ鏡筒１０における筒状部１２の断面図である。反射面２４の構成としては、特に限定されないが、本実施形態に係る筒状部１２に備えられる反射面２４は、光通過領域１５の外側に備えられた基材３６の外側に形成される第１層３２と、第１層３２の外側に形成される第２層３４を有している。
【００３６】
反射面２４を構成する各層における光の反射率は、特に限定されないが、第１層３２は、第２層３４よりも可視光の反射率が高いことが好ましい。一般的には、可視領域の光の反射率が高い層のほうが、赤外領域の光の反射率も高い傾向にあるため、可視光の反射率が高い第１層３２を有する反射面２４は、容易に赤外領域の反射率を高めることができる。
【００３７】
また、第１層３２は、外側の表面を第２層３４に覆われているため、たとえ可視光の反射率が高くても、反射面２４における可視領域の反射率は、低く抑えることができる。すなわち、第２層３４における可視光の反射率を、第１層３２における可視領域の光の反射率より低くすることによって、可視領域の光の反射率が低く、赤外領域の光の反射率が高い反射面２４を形成することができる。
【００３８】
さらに、第２層３４は、少なくとも波長１０００ｎｍ以上１７００ｎｍ未満の光の反射率が、第１層３２より低くても良い。赤外領域の光を反射する機能を、最外表面である第２層３４より、第２層３４の内側に形成される第１層３２に持たせることによって、可視領域の光の反射率が低く、赤外領域の光の反射率が高い反射面２４を、容易に形成することができる。
【００３９】
第２層３４は、可視領域の光の反射率が低いことが好ましく、波長４００ｎｍ以上７００ｎｍ未満の光の反射率が、１０％以下であることが好ましい。可視光の反射率が低い第２層３４を、筒状部１２の最外面に配置しているため、レンズ鏡筒１０は、イベント会場等において目立ちにくい。
【００４０】
図３は、図２に示す反射面２４の拡大模式図である。光通過領域１５の外側に備えられる基材３６は、筒状部１２の内部に備えられる光学レンズ群１３等の光学部品や、筒状部１２の外部に備えられる回転環１４等の部品を支持するために、適切な剛性を有する材料によって構成される。基材３６は、軽量であって剛性の高い材料を用いて構成されることが好ましく、例えば、ポリカーボネート、マグネシウム合金またはマグネシウム、アルミニウム合金またはアルミニウム、カーボン・樹脂複合材料等の材料を用いて構成することができる。
【００４１】
基材３６の外側に形成される第１層３２は、基材３６の表面に、たとえばスプレー塗布等によって形成される塗膜によって構成される。本実施形態に係る第１層３２には、反射面２４の反射率を向上させるために、金属粒子３８が含まれる。
【００４２】
第１層３２に含まれる金属粒子３８としては、Ａｌ，Ａｕ，Ａｇ，Ｎｉ，Ｃｕのうちから選択された元素を含有することが好ましく、ＡｌもしくはＡｌ系合金を含むことが特に好ましい。これらの元素を含有する金属粒子３８は、広い波長領域において光の反射率が高いため、第１層３２の反射率を高めることができ、また、第１層３２を含む反射面２４の反射率のうち、赤外領域の光の反射率を高めることができる。また、第１層３２は、酸化チタンまたは酸化アルミニウムを含むことが好ましく、このような第１層３２は、赤外領域の光の反射率がより高い。
【００４３】
第１層３２に含まれる金属粒子３８の形状は、特に限定されないが、金属粒子３８が箱形形状もしくは平板形状を有することが、第１層３２の反射率を向上させる観点から好ましい。本実施形態に係る第１層３２は、金属粒子３８の他に、金属粒子３８を取り囲むように層を形成している樹脂を有する。すなわち、第１層３２は、樹脂のモノマーや、ポリマーを含むポリマー溶液の中に、金属粒子３８を分散させた塗料を、基材３６の表面に塗布等することによって、形成することができる。なお、基材３６と第１層３２の間には、第１層３２と基材３６との密着性を高めるためのプライマ層が形成されていてもよい。
【００４４】
図３に示すように、第１層３２の外側には、第２層３４が形成されている。第２層３４には、波長４００ｎｍ以上７００ｎｍ未満の光の反射率を抑制するために、濃色系の顔料（濃色系とは、例えば、黒色、濃灰色、紺色等である）が含まれることが好ましい。
【００４５】
また、第２層３４は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有してもよい。本実施形態に係る第２層３４は、濃色遮熱顔料４０を含んでおり、第２層３４に含まれる濃色遮熱顔料４０としては、Ｓｉ，Ａｌ，Ｔｉ，Ｆｅ，Ｚｎ，Ｃｏ，Ｍｇ，Ｃａ，Ｓｒ，Ｂａ，Ｃｕやこれらの酸化物等を、第２層３４に含まれる樹脂に合わせて用いることができる。
【００４６】
本実施形態に係る第２層３４は、濃色遮熱顔料４０や各種添加剤の他に、濃色遮熱顔料４０を取り囲むように層を形成している樹脂を有する。第２層３４は、樹脂のモノマーやポリマー溶液の中に、濃色遮熱顔料４０や各種の添加剤を分散させた塗料を、第１層３２の表面に塗布等することによって、形成することができる。
【００４７】
図１に示すように、本実施形態に係るレンズ鏡筒１０は、波長４００ｎｍ以上７００ｎｍ未満の光の反射率が１５％以下であり、波長１０００ｎｍ以上１７００ｎｍ未満の光の反射率が５０％以上である反射面２４が備えられた筒状部１２を含む。反射面２４は、可視光領域の光の反射率が低く、赤外領域の光の反射率が高いため、レンズ鏡筒１０の外観を目立たなくするとともに、日射等によるレンズ鏡筒１０の温度上昇を抑制することが可能である。
【００４８】
したがって、本実施形態に係るレンズ鏡筒１０は、野外イベント等のように、強い日射を受ける環境で使用された場合でも、レンズ鏡筒１０の温度上昇を防止できる。また、温度上昇を防止することによって、レンズ鏡筒１０の表面が熱せられて撮影者が素手で振れることが難しくなったり、レンズ鏡筒１０の内部に備えられる光学部品が、熱により悪影響を受ける現象を、防止することができる。
【００４９】
反射面２４は、図３に示すように、基材３６の外側に形成されており金属粒子３８を含む第１層３２と、第１層３２の外側に形成されており酸化物等をからなる濃色遮熱顔料４０を含む第２層３４と、を有することが好ましい。第１層３２に、広い波長領域において光の反射率が高い金属粒子３８を含有させる。また、最外表面である第２層３４には、可視領域の光に対しては反射率・透過率とも低く可視領域の光を吸収するが、赤外領域の光の透過率を高くできる濃色遮熱顔料４０を含有させる。
【００５０】
図５Ｂは、第２層３４の分光透過率のグラフであり、ガラス基板に第２層３４のみを塗って、分光透過率を測定した結果を示すものである。すなわち、図５Ｂは、第２層３４のみの透過率を表している。このように、基材３６の外側に、金属粒子３８を含む第１層３２と、濃色遮熱顔料４０を含む第２層３４を形成することにより、可視光領域の光の反射率が低く、赤外領域の光の反射率が高い、図５Ａの分光反射率のグラフにみるような、理想的反射面２４を実現することができる。なお、第２層３４は、赤外領域の光を吸収しなければよく、赤外領域の光を反射する性質の塗膜によって構成することもできる。また、第１層３２は、Ｓｉ，Ａｌ，Ｔｉ，Ｆｅ，Ｚｎ，Ｃｏ，Ｍｇ，Ｃａ，Ｓｒ，Ｂａ，Ｃｕのうちいずれかを含む淡色の遮熱顔料を含んでいても良い。
【００５１】
反射面２４に含まれる第１層３２および第２層３４は、塗布により形成された塗膜であることが好ましい。このような反射面２４は、基材３６の表面に塗料を塗布することによって容易に形成することができるため、塗膜によって構成される反射面２４を備えるレンズ鏡筒１０は、製造が容易であり、生産性に優れている。
【００５２】
第２実施形態
図４は、本発明の一実施形態に係るレンズフード５０および当該レンズフード５０が取り付けられるレンズ鏡筒５２の全体図である。レンズフード５０は、レンズ鏡筒５２の光通過領域に不要な光が入射することを防止するものであり、レンズ鏡筒５２における被写体側の端部５２ａに取り付けられる。
【００５３】
レンズフード５０は、第１実施形態における反射面２４と同様に、波長４００ｎｍ以上７００ｎｍ未満の光の反射率が１５％以下であり、波長１０００ｎｍ以上１７００ｎｍ未満の光の反射率が５０％以上である反射面５４が全体に備えられた筒状部５３を有する。
【００５４】
反射面５４を備える筒状部５３を有するため、レンズフード５０は、第１実施形態に係るレンズ鏡筒１０と同様に、レンズフード５０の外観を目立たなくするとともに、日射等によるレンズフード５０の温度上昇を抑制することが可能である。したがって、野外イベントの撮影時のように、レンズフード５０が多量の日射を受ける環境で使用された場合であっても、撮影者は、レンズフード５０を素手で触れながら、レンズ鏡筒５２の向きを変えたり、保持したりすることができる。
【００５５】
レンズフード５０の筒状部５３に備えられる反射面５４は、第１実施形態に係る反射面２４と同様に、基材の外側に形成される第１層と、第１層の外側に形成される第２層とを有していても良い。この場合、レンズフード５０の基材は、カーボン・樹脂複合材料（ＣＦＲＰ）等によって構成することが、剛性確保および軽量化等の観点から好ましい。第２実施形態に係る第１層および第２層は、第１実施形態における第１層３２および第２層３４（図３等参照）と同様とすることができる。また、第２実施形態に係るレンズフード５０は、第１実施形態に係るレンズ鏡筒１０と同様の効果を有する。
【００５６】
第３実施形態
図７は、本発明の第３実施形態に係るレンズ鏡筒に含まれる反射面６４の模式断面図である。第３実施形態に係るレンズ鏡筒は、反射面６４が第３層６６および凸部６８を有する点でレンズ鏡筒１０と異なるが、それ以外の部分については第１実施形態に係るレンズ鏡筒１０と同様であり、重複部分については説明を省略する。
【００５７】
反射面６４は、基材３６の外側に形成される第１層３２と、第１層３２の外側に形成される第２層３４と、第２層３４の外側に形成される第３層６６と、第３層６６の外側であって、反射面６４の最外側表面に形成される複数の凸部６８とを有する。基材３６、第１層３２および第２層３４については、第１実施形態における反射面２４（図３参照）と同様である。
【００５８】
第３層６６は、第１層３２および第２層３４より可視光の透過率が高く、第３層の外側から、下層である第２層３４の表面が視認できる程度に透明である。具体的には、第３層６６は、７０％以上の可視光透過率を持つことが、反射面６４における赤外領域の光の反射率を高く保ち、また、第２層３４のデザイン性をレンズ鏡筒のデザインに活用する観点から好ましい。また、第３層６６は、日射によるレンズ鏡筒表面の温度上昇を抑制し、第２層３４のデザイン性をレンズ鏡筒のデザインに活用する観点から、無色または無色に近い淡色であることが好ましい。
【００５９】
第３層６６の外側には、複数の凸部６８が形成されている。図８は、反射面６４を外側から見た拡大斜視図である。複数の凸部６８は、反射面６４の最外側表面に、互いに間隔を隔てて配置されている。凸部６８は、第３層６６の表面から外周側に突出しており、球冠（球の一部を切り取った形）状の形状を有しているが、その他の形状であってもよい。なお、凸部６８の表面の曲率は、基材３６および第１〜第３層３２，３４，６６の表面の曲率より大きい。
【００６０】
凸部６８は、第３層６６と同様に、第１層３２および第２層３４より可視光の透過率が高く、凸部６８の外側から、凸部６８および第３層６６を通して、第３層６６の下層である第２層３４（図７参照）が視認できる程度に透明である。具体的には、凸部６８は、第３層６６と同様に、７０％以上の可視光透過率を持つことが、反射面６４における赤外領域の光の反射率を高く保ち、また、第２層３４のデザイン性をレンズ鏡筒のデザインに活用する観点から好ましい。また、凸部６８は、日射によるレンズ鏡筒表面の温度上昇を抑制し、第２層３４のデザイン性をレンズ鏡筒のデザインに活用する観点から、無色または無色に近い淡色であることが好ましい。
【００６１】
第３層６６は、第２層３４の表面に、クリア塗料を塗布等することによって形成することができる。第３層６６の原料となるクリア塗料としては、樹脂のモノマーと硬化剤を含むものや、ポリマー溶液を含むもの等が挙げられるが、特に限定されない。凸部６８は、第３層６６の表面に網目状のマスクを施し、クリア塗料をスプレー塗布等することによって作成されるが、製法は特に限定されない。凸部６８の原料となるクリア塗料としては、第３層６６の原料となるクリア塗料と同様のものを用いることができる。凸部６８の原材料となるクリア塗料は、第３層６６の原材料となるクリア塗料と同一であってもよいが、異なっていても良い。
【００６２】
図７に示す反射面６４は、第１実施形態に係る反射面２４と同様に、可視光を反射しにくいため、本実施形態に係るレンズ鏡筒は、可視光の反射率が高い外装面を有するレンズ鏡筒より目立ちにくい。また、反射面６４は、赤外領域に含まれる波長１０００ｎｍ以上１７００ｎｍ未満の光を反射する反射率が高いため、日射等によってレンズ鏡筒の温度が上昇することを防止できる。
【００６３】
さらに、反射面６４は、第２層３４の外側に形成される第３層６６を有する。反射面６４において、第２層３４は、上層である第３層６６に保護されるため、反射面６４は、第２層３４の破損、摩耗あるいは劣化を防止することができる。したがって、反射面６４は、耐久性に優れている。また、第３層６６は、レンズ鏡筒のクリーニング等に用いられる希薄アンモニア系溶液あるいは有機溶剤から第２層３４を保護することによって、反射面６４の耐液性を向上させることができる。第３層６６は、第１〜第３層３２，３４，６６によって構成される塗膜の強度を向上させるため、反射面６４を構成する塗膜は、信頼性が高い。
【００６４】
第３層６６は、第１層３２および第２層３４より可視光の透過率が高く、透明であるため、第３層６６自体に傷がついたとしても、その傷は目立ちにくい。また、第３層６６および凸部６８は、第１層３２および第２層３４より可視光の透過率が高く、透明であるため、第１層３２および第２層３４等によって実現される赤外領域の光の反射性能をほとんど阻害しない。したがって、反射面６４は、第１実施形態に係る反射面２４と同様の効果を奏する。
【００６５】
反射面６４は、反射面６４の最外側表面に、互いに間隔を隔てて配置される複数の凸部６８を有する。島状に配置される凸部６８と外気との界面で発生する光の屈折および散乱により、反射面６４は、透明な凸部６８および第３層６６の下層である第２層３４が、あたかも起伏を有しているかのように見せる視覚的な効果を奏する。したがって、反射面６４は、不透明な第２層３４が島状の起伏を有しているかのような、高級感ある外観を呈することが可能となる。
【００６６】
第４実施形態
図９は、本発明の第４実施形態に係るレンズ鏡筒に含まれる反射面７０の拡大斜視図である。第４実施形態に係るレンズ鏡筒は、反射面７０が、凸部６８の代わりに凹部７２を有する点で異なるが、それ以外の部分については第３実施形態に係るレンズ鏡筒と同様である。
【００６７】
凹部７２は、凸部６８と同様に、反射面７０の最外側表面に、互いに間隔を隔てて配置されている。凹部７２は、第３層６６の表面に形成された窪みであり、すり鉢状の形状を有しているが、その他の形状であってもよい。凹部７２と外気との界面で発生する光の屈折および散乱により、反射面７０は、第３実施形態に係る反射面６４と同様に、凹部６８および第３層６６の下層である第２層３４が、あたかも起伏を有しているかのように見せる視覚的な効果を奏する。したがって、反射面７０を備えるレンズ鏡筒は、第３実施形態に係るレンズ鏡筒と同様の効果を奏する。
【００６８】
第５実施形態
図１０は、本発明の第５実施形態に係るレンズ鏡筒に含まれる反射面７４の模式断面図である。第５実施形態に係るレンズ鏡筒は、反射面７４が第３層６６を有する点でレンズ鏡筒１０と異なるが、それ以外の部分については第１実施形態に係るレンズ鏡筒１０と同様であり、重複部分については説明を省略する。
【００６９】
反射面７４は、第３実施形態に係る反射面６４（図７）と同様に、第２層３４の外側に形成される第３層６６を有する。反射面７４の第３層６６は、第３実施形態に係る第３層６６（図７）と同様である。
【００７０】
反射面７４の第２層３４は、上層である第３層６６に保護されるため、反射面７４は、第３実施形態に係る反射面６４と同様に、第２層３４の破損、摩耗あるいは劣化を防止することができ、耐久性に優れている。また、第３層６６は、レンズ鏡筒のクリーニング等に用いられる有機溶剤から第２層３４を保護することによって、反射面７４の耐液性を向上させることができる。第３層６６は、第１〜第３層３２，３４，６６によって構成される塗膜の強度を向上させる。そのため、反射面７４を構成する本実施形態に係る塗膜は、信頼性が高い。
【００７１】
また、反射面７４は、第３実施形態に係る反射面６４と同様に、傷が目立ちにくい。さらに、第３層６６は、透明であるため、第１層３２および第２層３４等によって実現される赤外領域の光の反射性能をほとんど阻害しない。
【００７２】
第６実施形態
図１１は、本発明の第６実施形態に係るレンズ鏡筒に含まれる反射面７６の模式断面図である。第６実施形態に係るレンズ鏡筒は、反射面７６が凸部７８を有する点でレンズ鏡筒１０と異なるが、それ以外の部分については第１実施形態に係るレンズ鏡筒１０と同様であり、重複部分については説明を省略する。
【００７３】
反射面７６が有する凸部７８は、第３層６６ではなく、第２層３４の外側表面上に形成されている点で第４実施形態に係る凸部６８と異なるが、その他の点では、第４実施形態に係る凸部６８と同様である。凸部７８は、第２層３４の表面に網目状のマスクを施し、クリア塗料をスプレー塗布等することによって作成されるが、製法は特に限定されない。凸部７８の原料となるクリア塗料は、第４実施形態に係る凸部６８の原料となるクリア塗料と同様のものが用いられる。
【００７４】
反射面７６は、反射面７６の最外側表面に、互いに間隔を隔てて配置される複数の凸部７８を有する。したがって、反射面７６は、反射面６４と同様に、透明な凸部７８の内側にある第２層３４が、あたかも起伏を有しているかのように見せる視覚的な効果を奏する。したがって、反射面７６は、不透明な第２層３４が島状の起伏を有しているかのような、高級感ある外観を呈することが可能となる。
【００７５】
その他の実施形態
図１に示すレンズ鏡筒１０において、反射面２４は、筒状部１２だけでなく、支持台取付部１６におけるリング部１７および座部１８等に備えられていても良い。リング部１７および座部１８等も、レンズフード５０と同様に、撮影者が手で触れやすい位置に配置されている。そのため、リング部１７や座部１８等に反射面２４が備えられるレンズ鏡筒１０は、野外イベント等で使用された場合であっても、反射面２４が備えられる部材の温度上昇が防止されるため、撮影者が快適に操作を行うことができる。
【００７６】
また、図３に示す反射面２４や、図７に示す反射面６４が備えられる筐体の形状は、筒状に限定されず、箱形もしくはその他の形状であっても良い。たとえば、反射面６４を備える筐体を含むカメラもしくはカメラ本体部も、本発明に含まれる。
【符号の説明】
【００７７】
１０…  レンズ鏡筒
１２，５３…  筒状部
１５…  光通過領域
２４，５４，６４，７０，７４，７６…  反射面
３２…  第１層
３４…  第２層
３６…  基材
３８…  金属粒子
４０…  濃色遮熱顔料
５０…  レンズフード
６６…  第３層
６８，７８…  凸部
７２…  凹部
【図１】
2010282190.tif 000003
【図２】
2010282190.tif 000004
【図３】
2010282190.tif 000005
【図４】
2010282190.tif 000006
【図５Ａ】
2010282190.tif 000007
【図５Ｂ】
2010282190.tif 000008
【図６】
2010282190.tif 000009
【図７】
2010282190.tif 000010
【図８】
2010282190.tif 000011
【図９】
2010282190.tif 000012
【図１０】
2010282190.tif 000013
【図１１】
2010282190.tif 000014